(57)【要約】【課題】本発明は、端末装置に接続したままメディアの交換を操作性良く行える情報再生装置を提供することを目的とする。【解決手段】本体と、本体に設けられ他の端末装置との電気的接続を行うコネクタとメディアを挿入するメディア挿入部とを有するカード型機構部１０１と、本体に対して１軸を固定した片持ちの機構で昇降自在に設けられるとともにメディア挿入部を開閉する昇降部と、昇降部に保持され、メディアから少なくとも情報を再生する記録再生機構部１００とを備える情報再生装置２は、動作を制御する携帯端末装置９９に情報再生装置２が接続された状態で、任意の方向よりメディアを挿入可能としたことによって、メディアの交換性を向上させることができる。【選択図】図７
2006012341.tif 000002
【特許請求の範囲】
【請求項１】
本体と、前記本体に設けられ他の端末装置との電気的接続を行うコネクタ部と、前記本体に設けられたメディアを挿入するメディア挿入部と、前記本体に対して１軸を固定した片持ちの機構で昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向と逆方向よりメディアを交換可能な位置に設けられたことを特徴とする情報再生装置。
【請求項２】
本体と、前記本体に設けられ他の端末装置との電気的接続を行うコネクタ部と、前記本体に設けられたメディアを挿入するメディア挿入部と、前記本体に対して１軸を固定した片持ちの機構で昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向と同方向よりメディアを交換可能な位置に設けられたことを特徴とする情報再生装置。
【請求項３】
本体と、前記本体に設けられ他の端末装置との電気的接続を行うコネクタ部と、前記本体に設けられたメディアを挿入するメディア挿入部と、前記本体に対して１軸を固定した片持ちの機構で昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向を基準として右側方向よりメディアを交換可能な位置に設けられたことを特徴とする情報再生装置。
【請求項４】
本体と、前記本体に設けられ他の端末装置との電気的接続を行うコネクタ部と、前記本体に設けられたメディアを挿入するメディア挿入部と、前記本体に対して１軸を固定した片持ちの機構で昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向を基準として左側方向よりメディアを交換可能な位置に設けられたことを特徴とする情報再生装置。
【請求項５】
本体と、前記本体に設けられ他の端末装置との電気的接続を行うコネクタ部と、前記本体に設けられたメディアを挿入するメディア挿入部と、前記本体に対して鉛直方向に昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向と逆方向より前記メディアを交換可能な位置に設けられたことを特徴とする情報再生装置。
【請求項６】
本体と、前記本体に設けられ他の端末装置との電気的接続を行うコネクタ部と、前記本体に設けられたメディアを挿入するメディア挿入部と、前記本体に対して鉛直方向に昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向を基準として右側方向より前記メディアを交換可能な位置に設けられたことを特徴とする情報再生装置。
【請求項７】
本体と、前記本体に設けられ他の端末装置との電気的接続を行うコネクタ部と、前記本体
に設けられたメディアを挿入するメディア挿入部と、前記本体に対して鉛直方向に昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向を基準として左側方向より前記メディアを交換可能な位置に設けられたことを特徴とする情報再生装置。
【発明の詳細な説明】
【技術分野】
【０００１】
本発明は、携帯情報機器、携帯電話、携帯ゲーム機などに代表される携帯端末機器およびパーソナルコンピュータ（以下、「パソコン」と称す。）等に接続可能であって、少なくとも情報の再生が行える情報再生装置に関するものである。
【背景技術】
【０００２】
デジタル技術の発達に伴い、取り扱うデータが急増している。このため、様々な用途に合わせたデータ記録再生メディアが開発されている。コンピュータなどに使用される記録再生メディアとしては、ハードディスク、光ディスク、半導体メモリなどが挙げられる。特に、光ディスクを使用した記録再生メディアは、光ディスクの交換による容量当たりのコストの優位性、ランダムアクセス性、再生専用（ＲＯＭ）としたときに、ディスク製造の容易性に優れている。
【０００３】
一方、記録再生メディアを使用するパソコンなどの機器を室内だけではなく、屋外に持ち出して使用したいという要求がある。例えば、ラップトップコンピュータなどの携帯型パソコン、携帯情報端末（ＰＤＡ）に代表される携帯機器、携帯電話、携帯ゲーム機器、デジタルカメラなどを挙げることができる。このとき、データ記録メディアに装備されたデータ記録装置の記録容量が少ない場合、一般に半導体メモリが使用される。半導体メモリは消費電力が少なく、機構部がないために故障に強く、データ転送速度は非常に高速であるというメリットがある。しかし、記憶容量当たりのコストが高いために、大容量の記録メディアには不向きである。
【０００４】
これに対して、データ記録装置として、一般に使用頻度の高いハードディスクドライブ（ＨＤＤ）装置は半導体メモリほどではないが転送速度も高く、記録容量当たりのコストが安価であるために、大容量記録メディアとして適している。
【０００５】
現在、ＰＤＡなどに代表される携帯機器において、コンパクトフラッシュ（登録商標）（Ｃｏｍｐａｃｔ  Ｆｌａｓｈ）カード（以下、ＣＦカードと称する。）と呼ばれているカードタイプのメディアを使用する規格コネクタが装備されており、前記コネクタにメモリとして使用する半導体メモリカード、ＨＤＤ装置（通称マイクロドライブ）を接続することによりデータの記憶容量を増大させることが可能であり、また、その他の用途として、無線ユニット、ＬＡＮカード、ＧＰＳカード、デジタルカメラユニット、バーコードユニットを接続することが可能であり、携帯機器の使用用途を拡張している。
【０００６】
（特許文献１）には、光ディスクドライブ本体に対して開閉自在に取り付けられて光ディスクを内装したカートリッジを格納するトレイを備える小型の光ディスクドライブ装置について記載されている。
【特許文献１】特開平１０−９７７８１号公報
【発明の開示】
【発明が解決しようとする課題】
【０００７】
しかしながら、（特許文献１）に記載の情報再生装置においては、メディアの交換時に、情報再生装置をコンピュータから引き抜かなければならず、操作性が悪いという問題点がある。
【０００８】
そこで、本発明は、情報再生装置を他の端末装置に接続したままメディアの交換を操作性良く行える情報再生装置を提供することを目的とする。
【課題を解決するための手段】
【０００９】
本発明は上記課題を解決するために、本体と、前記本体に設けられ他の端末装置との電気的接続を行うコネクタ部と、前記本体に設けられたメディアを挿入するメディア挿入部と、前記本体に対して１軸を固定した片持ちの機構で昇降自在に設けられるとともに前記メディア挿入部を開閉する昇降部と、前記昇降部に保持され前記メディアから少なくとも情報を再生する再生部とを備え、前記メディア挿入部は、前記情報再生装置を制御する端末装置に接続した状態において、接続した方向と逆方向よりメディアを交換可能な位置に設けられたことを特徴とする。
【発明の効果】
【００１０】
本発明によれば、コネクタ部を他の端末装置に接続したまま昇降部の昇降によってメディア挿入部の開閉を行うことができる。よって、情報再生装置を他の端末装置に接続したままメディアを交換することができ、操作性が向上する。
【発明を実施するための最良の形態】
【００１１】
本願の第１の発明は、本体と、本体に設けられ他の端末装置との電気的接続を行うコネクタ部と、本体に設けられたメディアを挿入するメディア挿入部と、本体に対して１軸を固定した片持ちの機構で昇降自在に設けられるとともにメディア挿入部を開閉する昇降部と、昇降部に保持されメディアから少なくとも情報を再生する再生部とを備え、メディア挿入部は、情報再生装置を制御する端末装置に接続した状態において、接続した方向と逆方向よりメディアを交換可能な位置に設けられたことを特徴とした情報再生装置であり、メディア挿入部が端末装置に接続した方向と逆方向に位置することによって、コネクタ部を端末装置に接続したまま昇降部を昇降させてメディアを交換することができ、操作性が向上する。
【００１２】
本願の第２の発明は、本体と、本体に設けられ他の端末装置との電気的接続を行うコネクタ部と、本体に設けられたメディアを挿入するメディア挿入部と、本体に対して１軸を固定した片持ちの機構で昇降自在に設けられるとともにメディア挿入部を開閉する昇降部と、昇降部に保持されメディアから少なくとも情報を再生する再生部とを備え、メディア挿入部は、情報再生装置を制御する端末装置に接続した状態において、接続した方向と同方向よりメディアを交換可能な位置に設けられたことを特徴とした情報再生装置であり、メディア挿入部が端末装置に接続した方向と同方向に位置することによって、コネクタ部を端末装置に接続したまま昇降部を昇降させてメディアを交換することができ、操作性が向上する。
【００１３】
本願の第３の発明は、本体と、本体に設けられ他の端末装置との電気的接続を行うコネクタ部と、本体に設けられたメディアを挿入するメディア挿入部と、本体に対して１軸を固定した片持ちの機構で昇降自在に設けられるとともにメディア挿入部を開閉する昇降部と、昇降部に保持されメディアから少なくとも情報を再生する再生部とを備え、メディア挿入部は、情報再生装置を制御する端末装置に接続した状態において、接続した方向を基準として右側方向よりメディアを交換可能な位置に設けられたことを特徴とした情報再生装置であり、メディア挿入部が端末装置に接続した方向を基準として右側方向に位置することによって、コネクタ部を端末装置に接続したまま昇降部を昇降させてメディアを交換することができ、操作性が向上する。
【００１４】
本願の第４の発明は、本体と、本体に設けられ他の端末装置との電気的接続を行うコネクタ部と、本体に設けられたメディアを挿入するメディア挿入部と、本体に対して１軸を固定した片持ちの機構で昇降自在に設けられるとともにメディア挿入部を開閉する昇降部と、昇降部に保持されメディアから少なくとも情報を再生する再生部とを備え、メディア
挿入部は、情報再生装置を制御する端末装置に接続した状態において、接続した方向を基準として左側方向よりメディアを交換可能な位置に設けられたことを特徴とした情報再生装置であり、メディア挿入部が端末装置に接続した方向を基準として左側方向に位置することによって、コネクタ部を端末装置に接続したまま昇降部を昇降させてメディアを交換することができ、操作性が向上する。
【００１５】
本願の第５の発明は、本体と、本体に設けられ他の端末装置との電気的接続を行うコネクタ部と、本体に設けられたメディアを挿入するメディア挿入部と、本体に対して鉛直方向に昇降自在に設けられるとともにメディア挿入部を開閉する昇降部と、昇降部に保持されメディアから少なくとも情報を再生する再生部とを備え、メディア挿入部は、情報再生装置を制御する端末装置に接続した状態において、接続した方向と逆方向よりメディアを交換可能な位置に設けられたことを特徴とした情報再生装置であり、メディア挿入部が端末装置に接続した方向と逆方向に位置することによって、コネクタ部を端末装置に接続したまま昇降部を昇降させてメディアを交換することができ、操作性が向上する。
【００１６】
本願の第６の発明は、本体と、本体に設けられ他の端末装置との電気的接続を行うコネクタ部と、本体に設けられたメディアを挿入するメディア挿入部と、本体に対して鉛直方向に昇降自在に設けられるとともにメディア挿入部を開閉する昇降部と、昇降部に保持されメディアから少なくとも情報を再生する再生部とを備え、メディア挿入部は、情報再生装置を制御する端末装置に接続した状態において、接続した方向を基準として右側方向よりメディアを交換可能な位置に設けられたことを特徴とした情報再生装置であり、メディア挿入部が端末装置に接続した方向を基準として右側方向に位置することによって、コネクタ部を端末装置に接続したまま昇降部を昇降させてメディアを交換することができ、操作性が向上する。
【００１７】
本願の第７の発明は、本体と、本体に設けられ他の端末装置との電気的接続を行うコネクタ部と、本体に設けられたメディアを挿入するメディア挿入部と、本体に対して鉛直方向に昇降自在に設けられるとともにメディア挿入部を開閉する昇降部と、昇降部に保持されメディアから少なくとも情報を再生する再生部とを備え、メディア挿入部は、情報再生装置を制御する端末装置に接続した状態において、接続した方向を基準として左側方向よりメディアを交換可能な位置に設けられたことを特徴とした情報再生装置であり、メディア挿入部が端末装置に接続した方向を基準として左側方向に位置することによって、コネクタ部を端末装置に接続したまま昇降部を昇降させてメディアを交換することができ、操作性が向上する。
【００１８】
（実施の形態１）
本発明の実施の形態に係る情報再生装置ついて、図１〜図２に基づいて説明する。図１は、本発明の実施の形態に係る情報再生装置の側面斜視図である。図２は、本発明の実施の形態に係る情報再生装置の正面斜視図である。
【００１９】
図１に示すように情報再生装置１は、カード型機構部（本体）１０１と、カード型機構部１０１に対して１軸で固定され、昇降自在に設けられた記録再生機構部（昇降部）１００とから構成される。記録再生機構部１００は、光ディスクに対して情報の記録か再生の少なくとも一方を行う光ディスクの記録再生機器を有する。カード型機構部１０１は、任意のカード規格に対応するコネクタを有する。
【００２０】
カード型機構部１０１は光ディスクを収納する光ディスクカートリッジを収納する空間と、光ピックアップで読み取られたデータを処理する電子部品を搭載した電気基板と、図２に示すように、電気基板で処理されたデータを出力し情報再生装置１とパソコンや携帯端末機器とを接続するコネクタ５０とを備える。
【００２１】
次に、図３に基づいて記録再生機構部１００内の記録再生機構本体部２０の構造を説明する。図３は記録再生機構本体部２０の構造を示す斜視図である。記録再生機構部１００のベースとなる記録再生機構本体部２０は、光ディスクの記録再生を行う光ピックアップモジュール２１と、光ディスクを回転させるための動力源となるスピンドルモータ２２と、光ピックアップモジュール２１を光ディスクの内周、外周位置に移動させるためにねじを切られたリードスクリューシャフト２３と、リードスクリューシャフト２３より光ピックアップモジュール２１に動力を伝達させると同時に、光ピックアップモジュール２１に組み込まれたフレキシブルプリント基板（Ｆｌｅｘｉｂｌｅ  Ｐｒｉｎｔｅｄ  Ｃｉｒｃｕｉｔ：以下ＦＰＣと称す。）を保持するラック板バネ２４と、リードスクリューシャフト２３に固定されたリードスクリューシャフト歯車２５と、リードスクリューシャフト２３を任意の方向に押圧するリードスクリューシャフト押圧ばね２６と、両側に歯車を備え、中心部にスリットを設けた円形状の遮蔽板を持つ中間歯車２７と、リードスクリューシャフト２３を回転させる動力源となるフィードモータ２８と、フィードモータ２８の回転軸に取り付けられたモータ歯車２９と、フィードモータ２８を保持するモータ固定部材３０と、フィードモータ２８の回転数を計測するために中間歯車の回転数を計測するフォトインターラプター３１と、光ディスクが組み込まれた光ディスクカートリッジを情報再生装置１に対して着脱する際に、記録再生機構部１００の上下動作を検知する記録再生機構部上下動作感知レバー３２と、光ピックアップモジュール２１の光ディスクの内周、外周位置への動作を規制または誘導するガイドシャフト３３と、ガイドシャフト３３を記録再生機構本体部２０に固定するガイドシャフト固定部材３４と、カード型機構部１０１の両側に取り付けられた金属製の側面ガイド部材３５と、カード型機構部１０１の両側に備え付けられ、記録再生機構本体部２０を係留する爪形状を有する側面係留部材３６と、側面係留部材３６に対して、任意の方向に付勢力を付与する側面係留付勢力ばね３７と、光ディスクが組み込まれた光ディスクカートリッジを情報再生装置１に対して着脱する際に、記録再生機構本体部２０を持ち上げる捻りばねで形成された記録再生機構部持ち上げばね３８と、側面係留部材３６に固定されたスライドボタン３９と、記録再生機構本体部２０の上昇位置を規制する昇降規制部材４０とを備える。
【００２２】
次に、情報再生装置１に対して、他の端末装置に接続したままで、光ディスクが収納された光ディスクカートリッジを挿入または排出する時の記録再生機構部１００の昇降機構について図４〜図５に基づいて説明する。図４は、記録再生機構部１００の昇降を説明する図である。図５は、記録再生機構部１００が上昇した状態を示す斜視図である。
【００２３】
情報再生装置１はコネクタ５０により端末装置に接続されている。ここで、光ディスクが収納された光ディスクカートリッジ１０をカード型機構部１０１へ挿入する場合、図４に示すように、側面係留部材３６に固定されたスライドボタン３９をコネクタ５０の方向（Ａ方向）へ移動させる。このとき、側面係留付勢力ばね３７により、側面係留部材３６は移動する逆方向に付勢力を与えられている。スライドボタン３９がＡ方向に操作されると、記録再生機構本体部２０の両側面部に設けられたＭ部の凸形状部は側面係留部材３６からはずれる。すると、記録再生機構本体部２０の両側面部に１個ずつ取り付けられた記録再生機構部持ち上げばね３８がＢ方向へ開き、Ｃ部のボス形状部のＩ軸を支点として、記録再生機構本体部２０はＤ方向に持ち上がる。このとき、記録再生機構本体部２０の両側に取り付けられた昇降規制部材４０の両側面Ｎ部に設けられたボス形状が、側面ガイド部材３５に設けられた溝部に規制されることにより、図４に示すように記録再生機構本体部２０は、その上昇位置が規制される。そして、記録再生機構本体部２０が上昇することにより、図５に示すようにカード型機構部１０１の前面部、つまりはコネクタ５０と逆方向の位置に光ディスクカートリッジ１０の挿入部１０２が現れる。情報再生装置１の操作者は、光ディスクカートリッジ１０を挿入部１０２からＥ方向へ挿入する。挿入された光ディスクカートリッジ１０は、カード型機構部１０１内に挿入される。
【００２４】
光ディスクカートリッジ１０のカード型機構部１０１への挿入動作が完了すると、情報再生装置１の操作者が記録再生機構部１００に対してＦ方向に押圧力を加えることにより記録再生機構部１００を下降させる。Ｍ部の凸形状部は側面係留部材３６に係留され、記録再生機構部１００はカード型機構部１０１に係留され、情報再生装置１は動作可能な状態となる。
【００２５】
また、光ディスクが収納された光ディスクカートリッジ１０をカード型機構部１０１から排出する場合についても同様の操作を行うことによって、光ディスクが収納された光ディスクカートリッジ１０をカード型機構部１０１から排出することができる。
【００２６】
以上のように、光ディスクカートリッジ１０の挿入部１０２をコネクタ５０の逆方向に設け、記録再生機構部１００の開閉を行う支点の位置をＩ軸とすることによって、カード型機構部１０１のコネクタ５０の逆方向より光ディスクカートリッジ１０を挿入または排出することができる。これにより、情報再生装置１は、端末装置に接続したままで光ディスクカートリッジ１０を挿入または排出することができるので、光ディスクカートリッジ１０の挿入または排出の操作性が向上する。
【００２７】
ここで、本発明の実施の形態の変形例を図６〜図９に基づいて説明する。図６は本発明の実施の形態の第１の変形例を示す図であり、図７は本発明の実施の形態の第１の変形例において、光ディスクカートリッジの挿入時を示す図である。図８、図９は、それぞれ本発明の実施の形態の第２、第３の変形例を示す図である。
【００２８】
本発明の実施の形態の第１の変形例として、情報再生装置２は、図６に示すようにＰＤＡなどの携帯端末装置９９にコネクタ５０を介して接続される。情報再生装置２の操作者が携帯端末装置９９を手で保持した状態で、光ディスクカートリッジ１０をカード型機構部１０１へ挿入または排出しようとする場合、図７に示すように、記録再生機構部１００の開閉を行う支点の位置をＪ軸とすることによって、カード型機構部１０１のコネクタ５０の方向より光ディスクカートリッジ１０を挿入または排出することができる。以上のように、情報再生装置２は、携帯端末装置９９に接続した状態で光ディスクカートリッジ１０を挿入または排出することができるので、光ディスクカートリッジ１０の挿入または排出の操作性が向上する。
【００２９】
また、携帯端末装置９９に設けられたスイッチなどの位置の制約により、携帯端末装置９９に接続した方向と同方向からの光ディスクカートリッジ１０の挿入が困難な場合がある。その場合は、第２の変形例として、本発明の実施の形態の情報再生装置１を、図８に示すように、記録再生機構部１００の開閉を行う支点の位置をＫ軸とすることによって、カード型機構部１０１のコネクタ５０の接続方向を基準として右側方向より光ディスクカートリッジ１０を挿入または排出する情報再生装置３とすることもできる。
【００３０】
さらに、第３の変形例として、本発明の実施の形態の情報再生装置１を、図９に示すように、記録再生機構部１００の開閉を行う支点の位置をＬ軸として、カード型機構部１０１のコネクタ５０の接続方向を基準として左側方向より光ディスクカートリッジ１０を挿入または排出する情報再生装置４とすることもできる。
【００３１】
以上のように、情報再生装置３，４においても、携帯端末装置９９に接続した状態で光ディスクカートリッジ１０を挿入または排出することができるので、光ディスクカートリッジ１０の挿入または排出の操作性が向上する。
【００３２】
次に本発明の他の実施の形態について図１０に基づいて説明する。図１０は、本発明の
他の実施の形態に係る情報再生装置５の記録再生機構本体部２２０の構造を示す斜視図である。
【００３３】
本発明の他の実施の形態に係る情報再生装置５は、記録再生機構部２００とカード型機構部２０１とを備える。カード型機構部２０１の構造並びに記録再生機構本体部２２０の構造は、前述した本発明の実施の形態にかかる情報再生装置１と同じ構造であるので、同符号を付して説明を省略する。
【００３４】
次に、本発明の他の実施の形態における情報再生装置５に対して、端末装置に接続したままで、光ディスクが収納された光ディスクカートリッジ１０を挿入または排出する時の記録再生機構部２００の昇降機構について図１１〜図１２に基づいて説明する。図１１は、記録再生機構部２００の昇降を説明する図である。図１２は、記録再生機構部２００が上昇した状態を示す斜視図である。
【００３５】
情報再生装置５はコネクタ５０により端末装置に接続されている。ここで、光ディスクが収納された光ディスクカートリッジ１０をカード型機構部２０１へ挿入する場合、図１１に示すように、側面係留部材３６に固定されたスライドボタン３９（図示せず）をコネクタ５０の方向（ＡＡ方向）へ移動させる。このとき、側面係留付勢力ばね３７により、側面係留部材３６は移動する逆方向に付勢力を与えられている。スライドボタン３９がＡＡ方向に操作されると、記録再生機構本体部２２０の両側面部に設けられたＭＭ部の凸形状部は側面係留部材３６からはずれる。そして、記録再生機構本体部２２０の両側面部に２個ずつ取り付けられた記録再生機構部持ち上げばね３８がそれぞれＢＢ、ＣＣ方向へ開き、記録再生機構本体部２２０は鉛直方向であるＤＤ方向に持ち上がる。このとき、記録再生機構本体部２２０の両側に設けられたボス形状ＮＮ部が側面ガイド部材３５に設けられた溝部に規制されることにより、記録再生機構本体部２２０は、図１１に示すようにその上昇位置が規制される。そして、記録再生機構本体部２２０が上昇することにより、図１２に示すようにカード型機構部２０１の前面部、つまりはコネクタ５０と逆方向の位置に光ディスクカートリッジ１０の挿入部２０２が現れる。情報再生装置５の操作者は、光ディスクカートリッジ１０（図示せず）を挿入部２０２に対して、ＥＥ方向へ挿入する。挿入された光ディスクカートリッジ１０は、カード型機構部２０１内に挿入される。
【００３６】
光ディスクカートリッジ１０のカード型機構部２０１への挿入動作が完了すると、情報再生装置５の操作者が記録再生機構部２００に対してＦＦ方向に押圧力を加えることにより記録再生機構部２００を下降させる。図１１に示すＭＭ部の凸形状部は、側面係留部材３６に係留されることによって、記録再生機構部２００はカード型機構部２０１に係留され、情報再生装置５は動作可能な状態となる。
【００３７】
また、光ディスクが収納された光ディスクカートリッジ１０をカード型機構部２０１から排出する場合についても同様の操作を行うことによって、光ディスクが収納された光ディスクカートリッジ１０をカード型機構部２０１から排出することができる。
【００３８】
以上のように、光ディスクカートリッジ１０の挿入部２０２をコネクタ５０の逆方向に設け、記録再生機構部２００が鉛直方向に昇降可能とすることによって、カード型機構部２０１のコネクタ５０の逆方向より光ディスクカートリッジ１０を挿入または排出することができる。これにより、情報再生装置５は、端末装置に接続したままで光ディスクカートリッジ１０を挿入または排出することができるので、光ディスクカートリッジ１０の挿入または排出の操作性が向上する。
【００３９】
ここで、本発明の他の実施の形態の変形例を図１３〜図１４に基づいて説明する。図１３は、本発明の他の実施の形態に係る第１の変形例を示す図である。図１４は、本発明の
他の実施の形態に係る第２の変形例を示す図である。
【００４０】
本発明の他の実施の形態の第１の変形例として、情報再生装置６は、図１３に示すように携帯端末装置９９にコネクタ５０を介して接続される。情報再生装置６の操作者が携帯端末装置９９を手に保持した状態で、光ディスクカートリッジ１０をカード型機構部２０１へ挿入または排出しようとした場合、図１３に示すように、光カートリッジ１０の挿入部２０２をコネクタ５０の接続方向を基準として右側方向に設けることによって、カード型機構部２０１のコネクタ５０の接続方向を基準として右側方向より光ディスクカートリッジ１０を挿入または排出することができる。
【００４１】
また、本発明の他の実施の形態の第２の変形例として、情報再生装置７は、図１４に示すように、光ディスクカートリッジ１０の挿入部２０２をコネクタ５０の接続方向を基準として左側方向に設けることによって、カード型機構部２０１のコネクタ５０の接続方向を基準として左側方向より光ディスクカートリッジ１０を挿入または排出することができる。
【００４２】
以上のように、情報再生装置６，７は、携帯端末装置９９に接続した状態で光ディスクカートリッジ１０を挿入または排出することができるので、光ディスクカートリッジ１０の挿入または排出の操作性が向上する。
【産業上の利用可能性】
【００４３】
本発明は、コネクタ部を他の端末装置に接続したまま昇降部の昇降によってメディア挿入部の開閉を行うことができるので、携帯情報機器、携帯電話、携帯ゲーム機などに代表される携帯端末機器およびパソコン等に接続可能であって、少なくとも情報の再生が行える情報再生装置などに利用できる。
【図面の簡単な説明】
【００４４】
【図１】本発明の実施の形態に係る情報再生装置の側面斜視図
【図２】本発明の実施の形態に係る情報再生装置の正面斜視図
【図３】記録再生機構本体部の構造を示す斜視図
【図４】記録再生機構部の昇降を説明する図
【図５】記録再生機構部が上昇した状態を示す斜視図
【図６】本発明の実施の形態の第１の変形例を示す図
【図７】本発明の実施の形態の第１の変形例において、光ディスクカートリッジの挿入時を示す図
【図８】本発明の実施の形態の第２の変形例を示す図
【図９】本発明の実施の形態の第３の変形例を示す図
【図１０】本発明の他の実施の形態に係る情報再生装置の記録再生機構本体部の構造を示す斜視図
【図１１】記録再生機構部の昇降を説明する図
【図１２】記録再生機構部が上昇した状態を示す斜視図
【図１３】本発明の他の実施の形態に係る第１の変形例を示す図
【図１４】本発明の他の実施の形態に係る第２の変形例を示す図
【符号の説明】
【００４５】
１，２，３，４，５，６，７    情報再生装置
１０    光ディスクカートリッジ
２０，２２０    記録再生機構本体部
２１    光ピックアップモジュール
２２    スピンドルモータ
２３    リードスクリューシャフト
２４    ラック板バネ
２５    リードスクリューシャフト歯車
２６    リードスクリューシャフト押圧ばね
２７    中間歯車
２８    フィードモータ
２９    モータ歯車
３０    モータ固定部材
３１    フォトインターラプター
３２    記録再生機構部上下動作感知レバー
３３    ガイドシャフト
３４    ガイドシャフト固定部材
３５    側面ガイド部材
３６    側面係留部材
３７    側面係留付勢力ばね
３８    記録再生機構部持ち上げばね
３９    スライドボタン
４０    昇降規制部材
５０    コネクタ
９９    携帯端末装置
１００，２００    記録再生機構部（昇降部）
１０１，２０１    カード型機構部（本体）
１０２，２０２    挿入部
【図１】
2006012341.tif 000003
【図２】
2006012341.tif 000004
【図３】
2006012341.tif 000005
【図４】
2006012341.tif 000006
【図５】
2006012341.tif 000007
【図６】
2006012341.tif 000008
【図７】
2006012341.tif 000009
【図８】
2006012341.tif 000010
【図９】
2006012341.tif 000011
【図１０】
2006012341.tif 000012
【図１１】
2006012341.tif 000013
【図１２】
2006012341.tif 000014
【図１３】
2006012341.tif 000015
【図１４】
2006012341.tif 000016